(57)【要約】【課題】意匠性を損なわずに画像の編集処理を行い、合成画像をプリント出力する。【解決手段】画像プリントシステムは、画像プリント装置５と、画像データ及びテンプレートデータを記憶するサーバ１０と、を備える。画像プリント装置５は、識別情報の入力を受け付ける第１入力部と、プリントサイズの入力を受け付ける第２入力部と、前記識別情報及びプリントサイズ情報をサーバ１０に通知し、サーバ１０から、前記識別情報に対応する画像データと、前記プリントサイズ情報に対応したテンプレートデータとを受信する通信処理部５６と、前記プリントサイズ情報に基づいて前記サーバから受信した画像データのサイズを変換し、サイズ変換後の画像データと前記テンプレートデータとを合成して合成画像を生成する画像処理部５４Ａと、前記合成画像を印画紙にプリントするプリンタ５７と、を有する。【選択図】図２
2019041149.tif 000002
【特許請求の範囲】
【請求項１】
画像プリント装置と、画像データ及びテンプレートデータを記憶し、前記画像プリント装置と通信を行うサーバと、を備える画像プリントシステムであって、
前記画像プリント装置は、
画像データを特定する識別情報の入力を受け付ける第１入力部と、
プリントサイズの入力を受け付ける第２入力部と、
前記識別情報及びプリントサイズ情報を前記サーバに通知し、前記サーバから、前記識別情報に対応する画像データと、前記プリントサイズ情報に対応したテンプレートデータとを受信する通信処理部と、
前記プリントサイズ情報に基づいて前記サーバから受信した画像データのサイズを変換し、サイズ変換後の画像データと前記テンプレートデータとを合成して合成画像を生成する画像処理部と、
前記合成画像を印画紙にプリントするプリンタと、
を有し、
前記サーバは、複数の画像データ及びプリントサイズ毎のテンプレートデータを記憶する記憶部を有し、前記画像プリント装置から通知された前記識別情報に対応する画像データと、前記プリントサイズ情報に対応するテンプレートデータとを前記記憶部から取り出し、前記画像プリント装置へ送信することを特徴とする画像プリントシステム。
【請求項２】
前記画像処理部は、前記画像データの明るさ調整又はカラー補正を含む編集処理を行い、編集処理後の画像データと前記テンプレートデータとを合成することを特徴とする請求項１に記載の画像プリントシステム。
【請求項３】
前記サーバは、プレビュー用の第１画像データを前記画像プリント装置へ送信した後、前記第１画像データよりデータサイズの大きいプリント用の第２画像データを前記画像プリント装置へ送信することを特徴とする請求項１又は２に記載の画像プリントシステム。
【請求項４】
画像データ及びプリントサイズ毎のテンプレートデータを記憶するサーバと通信可能な画像プリント装置であって、
画像データを特定する識別情報の入力を受け付ける第１入力部と、
プリントサイズの入力を受け付ける第２入力部と、
前記識別情報及びプリントサイズ情報を前記サーバに通知し、前記サーバから、前記識別情報に対応する画像データと、前記プリントサイズ情報に対応したテンプレートデータとを受信する通信処理部と、
前記プリントサイズ情報に基づいて前記サーバから受信した画像データのサイズを変換し、サイズ変換後の画像データと前記テンプレートデータとを合成して合成画像を生成する画像処理部と、
前記合成画像を印画紙にプリントするプリンタと、
を備えることを特徴とする画像プリント装置。
【請求項５】
前記画像処理部は、前記画像データの明るさ調整又はカラー補正を含む編集処理を行い、編集処理後の画像データと前記テンプレートデータとを合成することを特徴とする請求項４に記載の画像プリント装置。
【請求項６】
前記通信処理部は、前記サーバから、プレビュー用の第１画像データを受信した後、前記第１画像データよりデータサイズの大きいプリント用の第２画像データを受信することを特徴とする請求項４又は５に記載の画像プリント装置。
【請求項７】
前記第１入力部はチケットに印字されたコードを読み取る読取部であり、前記第２入力部はタッチパネルであることを特徴とする請求項４乃至６のいずれか１項に記載の画像プリント装置。
【発明の詳細な説明】
【技術分野】
【０００１】
本発明は、画像プリントシステム及び画像プリント装置に関する。
【背景技術】
【０００２】
テーマパーク等では、スタッフが入園客を順に撮影し、プリントした写真をオリジナルの台紙に貼り付けて、入園客に販売するサービスが行われている。
【０００３】
特許文献１には、テーマパーク内に複数の自動撮影装置を設置し、顧客が自動撮影装置の設置場所毎に対価を支払って撮影を行うと、撮影画像データが画像出力センタ内のプリントシステムに送られて写真プリントが作製される画像撮影出力システムが開示されている。顧客は、画像出力センタの窓口で写真プリントを受け取ることができる。
【０００４】
特許文献２には、プリンタが、サーバから画像データをダウンロードして印刷する画像形成システムが開示されている。
【０００５】
従来、自動撮影装置で撮影した画像にフレーム等のテンプレートを合成した合成画像の写真プリント（印画物）を作製する場合、サーバが合成画像を作成し、プリンタは、サーバからダウンロードした合成画像をそのまま印刷出力していた。
【０００６】
サーバが作成する合成画像データは、所定のプリントサイズに対応したものであった。顧客からのプリントサイズ変更の要望に応じて、プリンタ側で合成画像データのサイズ変換や切り抜きを行うと、テンプレートが変形したり、画像の余白領域が増えたりしていた。また、顧客からの要望に応じて、プリンタ側で合成画像内の撮影対象物の明るさを変えると、撮影画像に合成されているテンプレートの明るさも変わってしまっていた。このように、サーバが合成画像を作成する従来のシステムでは、顧客の要望に応じてプリンタ側で画像の編集・加工を行うと、画像の意匠性を損なうという問題があった。
【先行技術文献】
【特許文献】
【０００７】
【特許文献１】特許第３９１３４５３号公報
【特許文献２】特許第６０７９２０５号公報
【発明の概要】
【発明が解決しようとする課題】
【０００８】
本発明は、意匠性を損なわずに画像の編集・加工を行い、合成画像をプリント出力することができる画像プリントシステム及び画像プリント装置を提供することを目的とする。
【課題を解決するための手段】
【０００９】
本発明の画像プリントシステムは、画像プリント装置と、画像データ及びテンプレートデータを記憶し、前記画像プリント装置と通信を行うサーバと、を備える画像プリントシステムであって、前記画像プリント装置は、画像データを特定する識別情報の入力を受け付ける第１入力部と、プリントサイズの入力を受け付ける第２入力部と、前記識別情報及びプリントサイズ情報を前記サーバに通知し、前記サーバから、前記識別情報に対応する画像データと、前記プリントサイズ情報に対応したテンプレートデータとを受信する通信処理部と、前記プリントサイズ情報に基づいて前記サーバから受信した画像データのサイズを変換し、サイズ変換後の画像データと前記テンプレートデータとを合成して合成画像を生成する画像処理部と、前記合成画像を印画紙にプリントするプリンタと、を有し、前記サーバは、複数の画像データ及びプリントサイズ毎のテンプレートデータを記憶する記憶部を有し、前記画像プリント装置から通知された前記識別情報に対応する画像データと、前記プリントサイズ情報に対応するテンプレートデータとを前記記憶部から取り出し、前記画像プリント装置へ送信するものである。
【００１０】
本発明の一態様では、前記画像処理部は、前記画像データの明るさ調整又はカラー補正を含む編集処理を行い、編集処理後の画像データと前記テンプレートデータとを合成する。
【００１１】
本発明の一態様では、前記サーバは、プレビュー用の第１画像データを前記画像プリント装置へ送信した後、前記第１画像データよりデータサイズの大きいプリント用の第２画像データを前記画像プリント装置へ送信する。
【００１２】
本発明の画像プリント装置は、画像データ及びプリントサイズ毎のテンプレートデータを記憶するサーバと通信可能な画像プリント装置であって、画像データを特定する識別情報の入力を受け付ける第１入力部と、プリントサイズの入力を受け付ける第２入力部と、前記識別情報及びプリントサイズ情報を前記サーバに通知し、前記サーバから、前記識別情報に対応する画像データと、前記プリントサイズ情報に対応したテンプレートデータとを受信する通信処理部と、前記プリントサイズ情報に基づいて前記サーバから受信した画像データのサイズを変換し、サイズ変換後の画像データと前記テンプレートデータとを合成して合成画像を生成する画像処理部と、前記合成画像を印画紙にプリントするプリンタと、を備えるものである。
【００１３】
本発明の一態様では、前記画像処理部は、前記画像データの明るさ調整又はカラー補正を含む編集処理を行い、編集処理後の画像データと前記テンプレートデータとを合成する。
【００１４】
本発明の一態様では、前記通信処理部は、前記サーバから、プレビュー用の第１画像データを受信した後、前記第１画像データよりデータサイズの大きいプリント用の第２画像データを受信する。
【００１５】
本発明の一態様では、前記第１入力部はチケットに印字されたコードを読み取る読取部であり、前記第２入力部はタッチパネルである。
【発明の効果】
【００１６】
本発明によれば、プリントサイズに応じてサイズ変換した画像に、プリントサイズに対応したテンプレートを合成するため、テンプレートが変形したり、画像の余白領域が増えたりすることが防止でき、画像の意匠性を損なわずに合成画像を所望のサイズでプリント出力することができる。
【図面の簡単な説明】
【００１７】
【図１】本発明の実施形態に係る画像プリントシステムの設置例を示す図である。
【図２】同実施形態に係る画像提供システムのブロック構成図である。
【図３】画像プリント装置で作製されるプリント物の一例を示す図である。
【図４】同実施形態に係る撮影装置のブロック構成図である。
【図５】同実施形態に係る画像プリント装置の斜視図である。
【図６】同実施形態に係る画像プリント装置のブロック構成図である。
【図７】同実施形態に係る画像プリント処理を説明するフローチャートである。
【発明を実施するための形態】
【００１８】
以下、本発明の実施の形態を図面に基づいて説明する。
【００１９】
本実施形態に係る画像プリントシステムは、観光地やテーマパーク等に設置されるものであり、撮影装置を様々な場所に設置し、利用者（観光客）は撮影装置の設置箇所で写真撮影を行う。撮影した画像データに、記念のフレームや透かしスタンプ等のテンプレートを合成し、合成画像のプリント物を利用者に提供（販売）する。
【００２０】
図１は画像プリントシステムをテーマパークに設置した例を示し、図２は画像プリントシステムのブロック構成を示す。画像プリントシステムは、画像プリント装置５、サーバ１０、チケットプリンタ２０、及び複数の撮影装置４０を備える。画像プリント装置５及びチケットプリンタ２０は、テーマパークの入退場ゲートがある管理センタ１に設けられる。撮影装置４０は、テーマパーク内の様々な場所に設置される。
【００２１】
チケットプリンタ２０は、利用者を一意に特定する識別情報を示す二次元コード（又はバーコード）がプリントされた撮影チケットを発行する。利用者は、入園時に撮影チケットを受け取り、パーク内で撮影装置４０の読取機４４（図４参照）に撮影チケットをかざす。読取機４４が撮影チケットの二次元コードを読み取ると、撮影装置４０はカメラ４１（図４参照）で利用者を撮影し、撮影画像データをサーバ１０へ送信する。
【００２２】
サーバ１０は、パーク内の複数の撮影装置４０から送信された画像データを、識別情報と紐付けて、利用者毎に保存する。
【００２３】
利用者は、撮影後、例えばパーク退園時に管理センタ１に立ち寄り、画像プリント装置５の読取部５３（図５、図６参照）に撮影チケットをかざす。読取部５３が撮影チケットの二次元コードを読み取り、識別情報をサーバ１０に通知する。サーバ１０は、識別情報に基づいて、複数の撮影装置４０で撮影された利用者の画像を特定し、画像プリント装置５へ送信する。
【００２４】
画像プリント装置５は、サーバ１０から受信した撮影画像データを表示し、プリントする画像の選択や、プリントサイズ、プリント枚数の選択を受け付ける。
【００２５】
画像表示待ち時間を短縮するために、サーバ１０は、まず、プレビュー用のデータサイズの小さい撮影画像データを画像プリント装置５へ送信する。そして、利用者が画像プリント装置５を操作し、画像を閲覧している際に、サーバ１０は、プリント用のデータサイズの大きい（高解像度の）撮影画像データを画像プリント装置５へ送信する。
【００２６】
画像プリント装置５は、プリントサイズが選択されると、プリントサイズ情報をサーバ１０へ送信する。サーバ１０は、撮影画像に合成可能なテンプレートデータをプリントサイズ毎に保存しており、受信したプリントサイズ情報に対応するテンプレートデータを画像プリント装置５へ送信する。テンプレートは、例えば、テーマパークのオリジナルのフレームやスタンプ等の記念になるものである。
【００２７】
画像プリント装置５は、選択されたプリントサイズに基づいて撮影画像のリサイズ処理を行い、リサイズした撮影画像に、サーバ１０から受信したテンプレートを合成する。
【００２８】
画像プリント装置５は、撮影画像の明るさ調整やカラー補正等の編集機能を有する。画像プリント装置５は、利用者から編集指示を受け付けると、撮影画像の明るさ調整等を行い、編集後の画像にテンプレートを合成する。上述のリサイズ処理や編集処理が施される撮影画像は、プリント用のデータサイズの大きい画像データである。
【００２９】
画像プリント装置５は、利用者からの料金の支払いを受け付けると、合成画像を印画紙にプリントして印画物を作製する。例えば、画像プリント装置５は、図３に示すような、撮影画像３１とテンプレート３２との合成画像をプリントした印画物３０を作製する。
【００３０】
次に、画像プリントシステムの各部の構成について説明する。図２に示すように、サーバ１０は、コード生成部１１、認証部１２、通信処理部１３、テンプレート選択部１４及び記憶部１５を有する。サーバ１０は、ＣＰＵ（Central  Processing  Unit）、ＲＡＭ（Random  Access  Memory）、通信モジュール、半導体メモリ等の補助記憶装置を備えるコンピュータで構成され、各機能はＣＰＵがプログラムを実行することで実現される。
【００３１】
記憶部１５は、テンプレートデータをプリントサイズ毎に保存している。
【００３２】
コード生成部１１は、利用者を識別するための識別情報を生成し、識別情報を示す二次元コードを発行する。例えば、コード生成部１１は、乱数生成プログラムを用いて複数桁（例えば２０桁）の文字列からなる識別情報を生成する。生成された識別情報は、発行コードとして記憶部１５に格納される。
【００３３】
認証部１２は、撮影装置４０の読取機４４が二次元コードを読み取って取得した識別情報と、記憶部１５に保存されている発行コードとを比較し、正規の識別情報であるか判定する。
【００３４】
通信処理部１３は、画像プリント装置５、チケットプリンタ２０、各撮影装置４０との通信処理を行う。例えば、通信処理部１３は、コード生成部１１により生成された二次元コードをチケットプリンタ２０へ送信する。
【００３５】
通信処理部１３は、撮影装置４０が読み取った識別情報を受信すると、認証部１２による判定結果を撮影装置４０に送信する。通信処理部１３は撮影装置４０から撮影画像データを受信すると、撮影された利用者の識別情報と紐付けて記憶部１５に格納する。
【００３６】
通信処理部１３は、画像プリント装置５から識別情報を受信すると、この識別情報に対応する撮影画像データを特定し、画像プリント装置５へ送信する。通信処理部１３は、まず、撮影画像データを縮小したプレビュー用のデータを画像プリント装置５へ送信し、その後、プリント用の高解像度の撮影画像データを送信する。
【００３７】
テンプレート選択部１４は、画像プリント装置５からプリントサイズ情報を受信すると、プリントサイズ情報に対応するテンプレートデータを選択し、記憶部１５から取り出す。取り出されたテンプレートデータは、通信処理部１３により画像プリント装置５へ送信される。
【００３８】
図４は撮影装置４０の構成を示すブロック図である。撮影装置４０は、カメラ（撮影部）４１、タッチパネル４２、スピーカ４３、読取機４４、及び制御装置４５を備える。制御装置４５は、入力処理部４７、出力処理部４８及び通信部４９を有する。制御装置４５は、ＣＰＵ、ＲＡＭ、通信モジュール、補助記憶装置等を有するコンピュータによって構成され、制御装置４５の各機能は、ＣＰＵがプログラムを実行することで実現される。
【００３９】
カメラ４１は、例えばデジタルカメラであり、利用者を撮影して撮影画像データを生成する。建物の上部にカメラ４１を設置して、利用者を上方から撮影するようにしてもよい。
【００４０】
タッチパネル４２は、利用者が視認可能な情報を表示する。出力処理部４８は、タッチパネル４２における情報表示に必要なデータ処理を行う。また、タッチパネル４２は、利用者の操作を検出する。入力処理部４７は、ユーザ操作に応じたデータ処理を行う。タッチパネル４２の代わりに、情報を表示するディスプレイと、利用者の操作を受け付ける操作ボタン等を設けてもよい。
【００４１】
スピーカ４３は、音声案内等を出力する。出力処理部４８は、スピーカ４３が発する音声を生成するためのデータ処理を行う。
【００４２】
読取機４４は、利用者が所持するチケットに印字された二次元コードを読み取り、識別情報を取得する。
【００４３】
利用者に提示されたチケットの二次元コードを読取機４４が読み取り、識別情報を取得すると、通信部４９は、サーバ１０へ識別情報を通知し、正規の識別情報であるか否か判定結果を受け取る。
【００４４】
正規の識別情報でない場合、撮影装置４０は「コードが違うようです」という音声をスピーカ４３から出力したり、タッチパネル４２に文字で表示したりする。正規の識別情報である場合、撮影装置４０は「写真を撮ります」という音声を出力し、カメラ４１で利用者を撮影する。撮影装置４０は、撮影画像の解析を行い、利用者の位置を検出し、「もう少し後ろに立って下さい」などの音声を出力して、利用者の立ち位置を調整してもよい。
【００４５】
カメラ４１が高所などの離れた位置に設置されている場合、撮影装置４０は、音声やタッチパネル４２の表示等によりカメラ４１の位置をユーザに教え、カメラ４１の方を向くように指示する。
【００４６】
撮影装置４０は、カメラ４１で撮影した画像をタッチパネル４２に表示して、撮り直しを行うか利用者に確認するようにしてもよい。通信部４９は、利用者の識別情報と共に撮影画像データをサーバ１０へ送信する。
【００４７】
図５は画像プリント装置５の外観図であり、図６は画像プリント装置５のブロック構成図である。
【００４８】
画像プリント装置５は、第１タッチパネル５１Ａ、第２タッチパネル５１Ｂ、課金部５２、読取部５３、ＣＰＵ（中央処理部）５４、記憶部５５、通信処理部５６、及びプリンタ５７を有する。
【００４９】
第１タッチパネル５１Ａは筐体５０の天板５０Ａ部分に設けられ、第２タッチパネル５１Ｂは筐体５０の上部に設けられている。第１タッチパネル５１Ａへの入力操作を行い易いように、天板５０Ａ及び第１タッチパネル５１Ａの画面は、手前側が低く奥側が高くなるようにやや傾斜している。第２タッチパネル５１Ｂのディスプレイ画面は、略垂直に立った状態となっている。第１タッチパネル５１Ａと第２タッチパネル５１Ｂのディスプレイ画面は同程度の大きさとなっている。
【００５０】
第１タッチパネル５１Ａ及び第２タッチパネル５１Ｂは、画像を含む情報を表示すると共に、利用者から各種指示の入力を受け付ける入力部として機能する。例えば、第１タッチパネル５１Ａ又は第２タッチパネル５１Ｂは、プリント出力する画像の選択、合成するテンプレートの選択、プリントサイズやプリント枚数の選択、画像編集の指示等を受け付ける画面を表示する。本実施形態では２個のタッチパネル５１Ａ、５１Ｂが設けられた構成としているが、タッチパネルは１個でもよい。
【００５１】
課金部５２は、筐体５０の前面側に設けられた硬貨投入口５２Ａ、紙幣投入口５２Ｂ、釣銭返却口５２Ｃを有し、硬貨投入口５２Ａ及び紙幣投入口５２Ｂから投入された貨幣を識別計数し、釣銭を釣銭返却口５２Ｃから放出する。また、課金部５２は、電子マネーによる決済機能を有していてもよい。また、課金部５２は、注文内容、請求金額、投入金額、釣銭額等をレシートに印字して出力するレシートプリンタを有していてもよい。
【００５２】
読取部５３は、利用者が所持しているチケットにプリントされた二次元コードから、識別情報を読み取る。読取部５３は利用者を識別する識別情報の入力を受け付ける入力部として機能する。
【００５３】
通信処理部５６は、サーバ１０と通信を行い、読取部５３が読み取った識別情報をサーバ１０に送信し、この識別情報に対応する撮影画像データを受信する。また、通信処理部５６は、プリントサイズ情報をサーバ１０へ送信し、対応するテンプレートデータを取得する。
【００５４】
プリンタ５７は、昇華型又はインクジェット型などの高解像度カラープリンタであり、注文内容に基づいて、画像データを印画紙にプリントして出力する。プリンタ５７は筐体５０内に収容されている。プリンタ５７は複数台設置されていてもよい。図５に示すように、筐体５０の前面側には、透明な開閉扉５０Ｂが開閉自在に設けられている。開閉扉５０Ｂの裏面側には、プリンタ５７がプリント出力した印画物が集積される集積部（図示せず）が設けられており、開閉扉５０Ｂを開けると集積部に集積された印画物を取り出せるようになっている。
【００５５】
記憶部５５は、メインメモリや、制御プログラム及び画像処理プログラムを格納するハードディスクドライブを含む。ＣＰＵ５４は、制御プログラムを実行することで、画像プリント装置５の各部の動作を制御する制御部として機能する。また、ＣＰＵ５４は、画像処理プログラムを実行することで、撮影画像のリサイズ処理、明るさ調整等の編集処理、撮影画像とテンプレートとの合成処理等の画像処理を行う画像処理部５４Ａとして機能する。
【００５６】
次に、画像プリント装置５を用いた画像プリント処理を図７に示すフローチャートを用いて説明する。
【００５７】
テーマパーク内の複数の撮影装置４０で写真撮影を行った利用者が画像プリント装置５の読取部５３に撮影チケットをかざす。読取部５３は、撮影チケットの二次元コードを読み取り、識別情報を取得する（ステップＳ１）。
【００５８】
通信処理部５６が、識別情報をサーバ１０へ送信する（ステップＳ２）。通信処理部５６は、サーバ１０から、識別情報に対応する撮影画像データ、すなわち撮影チケットを所持している利用者を撮影した画像データを受信する（ステップＳ３）。
【００５９】
このとき、通信処理部５６は、サーバ１０からプレビュー表示用のデータサイズの小さい撮影画像データを受信する。第１タッチパネル５１Ａに撮影画像のサムネイルが表示される（ステップＳ４）。利用者は、第１タッチパネル５１Ａを操作し、プリントしたい画像や、プリントサイズを選択する（ステップＳ５）。サーバ１０から画像プリント装置５へデータサイズの小さい撮影画像データを転送することで、利用者は、撮影チケットをかざした後、速やかに撮影画像を閲覧することができる。
【００６０】
撮影画像の表示前にプリントサイズの選択画面を表示し、プリントサイズの選択受け付け後に撮影画像の一覧を表示し、プリントする画像の選択を受け付けるようにしてもよい。
【００６１】
利用者が、撮影画像を閲覧しているのと並行して、通信処理部５６は、プリント用のデータサイズの大きい撮影画像データをサーバ１０から受信する処理を行う。プリント用のデータを受信した撮影画像については、第１タッチパネル５１Ａに表示している画像を高解像度のものに差し替えてもよい。
【００６２】
通信処理部５６が、利用者が選択したプリントサイズを示すプリントサイズ情報をサーバ１０へ送信する（ステップＳ６）。通信処理部５６は、サーバ１０から、プリントサイズに対応したテンプレートデータを取得する（ステップＳ７）。
【００６３】
画像処理部５４Ａが、プリント用の撮影画像データに対し、プリントサイズに基づいてリサイズ処理（拡縮、切り抜き等）を行う。また、画像処理部５４Ａは、利用者からの要求に応じて、明るさ調整等の編集処理を行う。画像処理部５４Ａは、リサイズ処理及び編集処理後の撮影画像データと、テンプレートデータとを合成して合成画像を作成する（ステップＳ８）。
【００６４】
利用者が合成画像を確認し、プリントサイズ及びプリント枚数に応じた料金の支払いを行うと（ステップＳ９）、プリンタ５７が合成画像を印画紙にプリントし、印画物を作製する（ステップＳ１０）。
【００６５】
このように、本実施形態によれば、プリントサイズに応じてリサイズ処理した撮影画像に、プリントサイズに対応したテンプレートを合成するため、テンプレートが変形したり、画像の余白領域が増えたりすることがない。また、明るさ調整等の編集を行った後の撮影画像にテンプレートを合成するため、テンプレートの明るさが変わることがない。そのため、画像の意匠性を損なわずに、編集・加工を行い、合成画像を所望のサイズでプリント出力することができる。
【００６６】
上記実施形態において、サーバ１０は、プレビュー用のデータサイズの小さい撮影画像データを画像プリント装置５へ送信すると共に、プレビュー用のデータサイズの小さいテンプレートデータを送信してもよい。画像プリント装置５は、データサイズの小さい撮影画像とテンプレートとを合成した合成画像をサムネイル画面に表示する。
【００６７】
上記実施形態では、印画物の作製の度に画像プリント装置５がサーバ１０からテンプレートデータをダウンロードする例について説明したが、画像プリント装置５はサーバ１０からテンプレートデータを予めダウンロードし、記憶部５５に格納しておいてもよい。例えば、画像プリント装置５は、毎日午前９時など所定の時刻にサーバ１０にアクセスし、全てのテンプレートデータをダウンロードしておく。
【００６８】
上記説明は本発明の一例であり、本発明は上記以外の形態とされてもよい。
【符号の説明】
【００６９】
５  画像プリント装置
１０  サーバ
２０  チケットプリンタ
４０  撮影装置
【図１】
2019041149.tif 000003
【図２】
2019041149.tif 000004
【図３】
2019041149.tif 000005
【図４】
2019041149.tif 000006
【図５】
2019041149.tif 000007
【図６】
2019041149.tif 000008
【図７】
2019041149.tif 000009